(57)【特許請求の範囲】
【請求項１】
複数の鎖樋素体を上下方向に配設した鎖樋において、鎖樋素体を軸体に対して回転自在に取付け、上開口が下開口よりも大きい上下に開口した筒体内に雨水の流水力を受けて該筒体を回転させるための回転翼部を設けて鎖樋素体を構成し、鎖樋素体又は軸体に筒体の上開口よりも外形が小さいガイド部を回転翼部の上方に位置するように筒体の上開口に臨んで配置し、該ガイド部の外周端と筒体の内周との間に隙間を形成し、該隙間の下方に回転翼部の上部の外側端部が位置していることを特徴とする鎖樋。
【請求項２】
ガイド部を軸体に設けて成ることを特徴とする請求項１記載の鎖樋。
【請求項３】
ガイド部を鎖樋素体に設けて成ることを特徴とする請求項１記載の鎖樋。
【請求項４】
ガイド部の上面にガイド溝を形成し、該ガイド溝の外側端部を回転翼部の羽根部の外側端部の上方に位置させていることを特徴とする請求項３記載の鎖樋。
【発明の詳細な説明】
【技術分野】
【０００１】
本発明は、複数の鎖樋素体を上下方向に配設し、軒樋から排水される雨水を鎖樋素体を伝って流下させるようにした鎖樋に関するものである。
【背景技術】
【０００２】
従来から、軒樋から排水される雨水を鎖樋素体を伝って流下させるようにした鎖樋が知られている。
【０００３】
従来の鎖樋としては、例えば輪状をした鎖樋素体を鎖状に繋いだものがある。この鎖状をした鎖樋は、輪状をした鎖樋素体を輪同士が上下にクロスするように通して上下に繋ぐことで構成してある。
【０００４】
また、鎖樋素体として筒体の上下に逆Ｕ字状をした上繋ぎ部とＵ字状をした下繋ぎ部とを突出し、上下の鎖樋素体をＵ字状をした下繋ぎ部と逆Ｕ字状をした上繋ぎ部とをクロスするように通して上下に繋ぐことで鎖樋を構成したものが特許文献１等により知られている。
【０００５】
一般の縦樋は、筒状をしていて雨水が流下するのが見えないようにしているが、上記した鎖樋は、軒樋から排水される雨水を鎖樋素体を伝って流下する様子を見せることで、筒状の縦樋にはない趣のあるものとすることができるという特徴を有している。
【０００６】
しかしながら、上記いずれの従来例の鎖樋も、雨水が単純に鎖樋素体を伝って流下する様子を見せるだけの機能しかなかった。このため、鎖樋としての「見せるという機能（鎖樋素体を伝って流下する様子を見せるという機能）」がマンネリ化しており、商品価値の高い鎖樋を提供できないのが現状であり、鎖樋のもつ「見せるという機能」更に発展させる商品を開発することが強く望まれている。
【特許文献１】実開平５−７８２５号公報
【発明の開示】
【発明が解決しようとする課題】
【０００７】
本発明は上記の従来の問題点に鑑みて発明したものであって、鎖樋素体を雨水の流水力により回転させる機能を備えることで、従来の鎖樋にはない新しい「見せる機能」を備え、しかも、雨水の流水力で鎖樋素体を回転させるものにおいて、雨水の流入量が少なかったり、あるいは回転翼部の羽根部の傾斜角度が緩くても効果的に鎖樋素体を回転することができる鎖樋を提供することを課題とするものである。
【課題を解決するための手段】
【０００８】
本発明は、複数の鎖樋素体１を上下方向に配設した鎖樋２である。そして、本発明は、鎖樋素体１を軸体３に対して回転自在に取付け、上開口６が下開口８よりも大きい上下に開口した筒体４内に雨水の流水力を受けて該筒体４を回転させるための回転翼部５を設けて鎖樋素体１を構成し、鎖樋素体１又は軸体３に筒体４の上開口６よりも外形が小さいガイド部７を回転翼部５の上方に位置するように筒体４の上開口６に臨んで配置し、該ガイド部７の外周端と筒体４の内周との間に隙間４０を形成し、該隙間４０の下方に回転翼部５の上部の外側端部が位置していることを特徴とする。
【０００９】
このような構成とすることで、上の鎖樋素体１の筒体４の下開口８から流下した雨水が、下の鎖樋素体１の筒体４の上開口６から筒体４内に流入して筒体４内に設けた回転翼部５で受けて鎖樋素体１を回転させることができ、このように雨水の流水力により鎖樋素体１が回転することで、従来の鎖樋２では発揮できなかった新しい見せる機能を備えた鎖樋２を提供できる。しかも、鎖樋素体１を回転させるに当って、鎖樋素体１に作用する雨水の流水力を利用して回転させるものであるから鎖樋２の構成が簡略化できる。更に、鎖樋素体１又は軸体３に筒体４の上開口６よりも外形が小さいガイド部７を回転翼部５の上方に位置するように筒体４の上開口６に臨んで配置し、該ガイド部７の外周端と筒体４の内周との間に隙間４０を形成し、該隙間４０の下方に回転翼部５の上部の外側端部が位置しているので、上の鎖樋素体１の筒体４の下開口８から流下した雨水をガイド部７により回転翼部５の外側端部側に集めて流すことができ、このように回転翼部５の中心から離れた外側端部側に雨水を集めて流して衝突させることができるので、雨水の流量が少なかったり、あるいは回転翼部５の羽根部１３の傾斜角度が緩くても雨水の流れを効率良く回転力に変換して効果的に鎖樋素体１を回転させることができる。
【００１０】
また、ガイド部７を軸体３に設けることが好ましい。
【００１１】
このような構成とすることで、複雑な形状をした回転翼部５を内部に備えた鎖樋素体１にガイド部７を設けなくてもよく、鎖樋素体１の構造が簡略化し、成形が容易になる。
【００１２】
また、ガイド部７を鎖樋素体１に設けることが好ましく、また、ガイド部７の上面にガイド溝７ａを形成し、該ガイド溝７ａの外側端部を回転翼部５の羽根部１３の外側端部の上方に位置させていることが好ましい。
【００１３】
このような構成とすることで、ガイド溝７ａに沿って回転翼部５の外側端部の上部に雨水を集めて流すことができ、より効率よく鎖樋素体１を回転させることができる。
【発明の効果】
【００１４】
本発明は、上記のように鎖樋素体を軸体に対して回転自在に取付け、上下に開口した筒体内に雨水の流水力を受けて該筒体を回転させるための回転翼部を設けて鎖樋素体を構成しているので、雨水の流水力により鎖樋素体が回転する様子を見せるという機能を備えていることになり、簡単な構成で従来の鎖樋にはないまったく新しい「見せる機能」を備えた商品価値の高い鎖樋を提供できる。また、鎖樋素体又は軸体に筒体の上開口よりも外形が小さいガイド部を回転翼部の上方に位置するように筒体の上開口に臨んで配置し、該ガイド部の外周端と筒体の内周との間に隙間を形成し、該隙間の下方に回転翼部の上部の外側端部が位置しているので、雨水の流量が少なかったり、あるいは回転翼部の羽根部の傾斜角度が緩くても効果的に鎖樋素体を回転させることができる。
【発明を実施するための最良の形態】
【００１５】
以下、本発明を添付図面に示す実施形態に基いて説明する。
【００１６】
本発明の鎖樋２は複数の鎖樋素体１を上下方向に隙間９を介して配設したものであり、上端を軒樋に接続して軒樋から流下する雨水を鎖樋素体１を伝って次々と流下させるようにするためのものである。
【００１７】
本発明においては、鎖樋２を構成する全部の鎖樋素体１又は一部の鎖樋素体１が軸体３に対して回転自在となっている。
【００１８】
図１乃至図４には本発明の一実施形態が示してあり、本実施形態においては、上下に開口した筒体４内に雨水の流水力を受けて該筒体４を回転させるための回転翼部５を設けて鎖樋素体１を構成し、該鎖樋素体１に軸体３が回転自在に取付けてあり、軸体３に繋ぎ部１０を設け、上下の鎖樋素体１を繋ぎ部１０で繋ぐことで、上下方向に複数の鎖樋素体１を配設した鎖樋２を構成した例が示してある。
【００１９】
実施形態では、上下が開口した横断面角形状又は円形状をした筒体４内に筒体４とは別体の回転翼部５を取付けて鎖樋素体１を構成した例が示してある。このように、別体の筒体４と回転翼部５とを組み立てて鎖樋素体１を構成することで、回転翼部５が複雑な形状であっても合成樹脂により簡単に成形することができる。
【００２０】
筒体４は下開口８が上開口６よりも小さいもので、筒体４の横断面形状が上から下に行くほど次第に小さくなるように形成してある。筒体４の壁部の内面には上開口６の開口縁よりも一定寸法下方に引き込んだ位置に係止突起１１が突設してある。
【００２１】
回転翼部５は中心軸部１２の周部に放射状に羽根部１３を突設して構成してあり、羽根部１３は中心軸部１２を中心にねじってある。また各羽根部１３の突出側端は筒体４の壁部の内面に沿うように壁部の内面の傾斜と同じ傾斜となっている。また、中心軸部１２には上下に貫通する孔１８が設けてある。
【００２２】
回転翼部５を筒体４の上開口６から嵌め込んで複数の羽根部１３の突出側端を筒体４の壁部の内面に当接すると共に各羽根部１３の上端を係止突起１１に係止することで回転翼部５を筒体４内に内装するものであり、この状態で、回転翼部５の上端の位置が筒体４の上端よりも一定寸法（図１において寸法Ｌで示す）下方に引き込んだ位置となり、中心軸部１２は筒体４の中心軸と同軸となる。
【００２３】
軸体３は上軸部１４と下軸部１５とに上下に分割してあり、上軸部１４の上端部及び下軸部１５の下端部にそれぞれ繋ぎ部１０が設けてある。また、上軸部１４の下端部には連結部１６が設けてあり、下軸部１５の上端部には被連結部１７が設けてある。更に、軸体３（上軸部１４）にはガイド部７が設けてある。ガイド部７は上軸部１４と一体に形成してもよく、あるいは、別体のガイド部７を上軸部１４に取付けてもよい。ガイド部７は中央が高く且つ外周端部にいくほど低くなった傘状をしている。このガイド部７はその外形が筒体４の上開口６よりも小さいものである。また、ガイド部７の外形は下開口８よりも大きい方が好ましいが、小さくてもよい。
【００２４】
上軸部１４乃至下軸部１５の一方又は両方を鎖樋素体１の中心軸部１２の孔１８に遊挿すると共に、連結部１６と被連結部１７とを連結するものであり、これにより上軸部１４と下軸部１５とで構成する軸体３に対して鎖樋素体１を回転自在とするものである。下軸部１５には中心軸部１２の下端部が落下するための落下防止部１９が設けてある。
【００２５】
このように軸体３に鎖樋素体１を回転自在に取付けた状態で、ガイド部７が回転翼部５の上方に位置するように筒体４の上開口６に臨んで配置され、このガイド部７の外周端と筒体４の内周との間に隙間４０が形成され、該隙間４０の下方に回転翼部５の上部の外側端部が位置している。
【００２６】
上記のように軸体３に回転自在となった複数の鎖樋素体１を、繋ぎ部１０で上下に繋ぐことで鎖樋２を形成するものである。
【００２７】
筒状をした鎖樋素体１の上開口６から鎖樋素体１内に雨水が流入すると、図４の破線に示すように、雨水はガイド部７にガイドされてガイド部７の外周端に流れ、ガイド部７の外周端と筒体４の内周との間に隙間４０から流下して、該隙間４０の下方に位置する回転翼部５の羽根部１３の外側端部に衝突する。回転翼部５の羽根部１３は螺旋状にねじって傾斜しているためある隙間４０から流下した雨水は羽根部１３の傾斜面の外側端部にある角度をもって衝突し、羽根部１３の傾斜面を螺旋流となって流下する。
【００２８】
この際、隙間４０から回転翼部５の羽根部１３の傾斜面に図２の矢印イのように当ることで回転翼部５が軸体３を中心に回転する力が作用し、また、螺旋状となった回転翼部５の羽根部１３に沿って雨水が螺旋流となって鎖樋素体１内を流れることで、鎖樋素体１を更に回転する力が作用し、これにより鎖樋素体１が軸体３を中心に図２の矢印ロのように回転する。
【００２９】
このように鎖樋素体１を回転させながら自身も螺旋流となった雨水は筒体４の下開口８から下方に螺旋流となって流下し、隙間９を介して下に位置する別の鎖樋素体１の上開口６内に流下する。
【００３０】
下に位置する別の鎖樋素体１の上開口６から流下した雨水は上記と同様にガイド部７にガイドされて回転翼部５の羽根部１３の外側端部に衝突して傾斜面に当って螺旋流となって流下するものであり、これにより上記と同様にして下の鎖樋素体１が軸体３を中心に回転する。
【００３１】
同様にして次々と、下の鎖樋素体１が軸体３を中心にして回転することで、全ての鎖樋素体１を回転することができる。
【００３２】
この実施形態においては、上記のように雨水が流れると、雨水の流水力により鎖樋素体１が回転する様子が見え、また、上下の鎖樋素体１間の隙間９においては雨水が螺旋流となって流れる様子が見える。これにより、従来の鎖樋素体１が回転せず、また、鎖樋素体１間の隙間９においては雨水が真っ直ぐ流れる様子しか見えないものに比べて、従来の鎖樋２では現出できなかった、雨水の動き、鎖樋素体１の動きを現出できることになる。
【００３３】
上記のように、雨水の流水力を利用して鎖樋素体１を回転させるのであるが、ガイド部７を設けないと、雨水の流量が少ない場合、図９の参考例に示すように、回転翼部５の中心側に雨水が流れ、回転翼部５が回し難くなり、また、回転翼部５の羽根部１３の傾斜角度が緩い場合も回し難くなる。しかしながら、本発明においては、上記のように、小さいガイド部７を回転翼部５の上方に位置するように筒体４の上開口６に臨んで配置し、該ガイド部７の外周端と筒体４の内周との間に隙間４０を形成し、該隙間４０の下方に回転翼部５の上部の外側端部が位置しているので、上の鎖樋素体１の筒体４の下開口８から流下した雨水をガイド部７により回転翼部５の外側端部側に集めて流すことができる。このように回転翼部５の中心から離れた羽根部１３の外側端部側に雨水を集めて流して衝突させることができるので、雨水の流量が少なかったり、あるいは回転翼部５の羽根部１３の傾斜角度が緩くても雨水の流れを効率良く回転力に変換して効果的に鎖樋素体１を回転させることができることになる。
【００３４】
次に、本発明の他の実施形態につき説明する。上記実施形態においては、軸体３にはガイド部７を設けた例を説明したが、図５乃至図７には鎖樋素体１にガイド部７を設けた実施形態が示してある。
【００３５】
すなわち、本実施形態においては、回転翼部５の上端部に傘形状をしたガイド部７を形成してある。ガイド部７は回転翼部５と一体に形成してもよく、また、別体のガイド部７を任意の取付け手段で回転翼部５の上端部に取付けたものであってもよい。この実施形態においては、雨水の流水力で回転する鎖樋素体１と共にガイド部７が回転する。
【００３６】
そして、このように鎖樋素体１にガイド部７を設けたものにおいて、図８に示すように、傘形状をしたガイド部７の上面に複数のガイド溝７ａを形成してもよい。
【００３７】
ガイド溝７ａはガイド部７の上面中央部の中央溝７ｂから外周端に至るように形成してあり、このガイド溝７ａは回転翼部５の複数の羽根部１３に対応して複数設けてあり、各ガイド溝７ａの外側の端部は図８に示すように、平面視で対応する羽根部１３の外側端部の上端よりも鎖樋素体１の回転方向（図８においては矢印Ａが回転方向）と反対方向にずれた位置となっている。したがって、本実施形態においては、ガイド部７の上面に流れた雨水は、特に、少量の雨水がガイド部７の中央溝７ｂ部分に流れ込んだ場合、ガイド溝７ａに沿って流れて平面視で対応する羽根部１３の外側端部の上端よりも鎖樋素体１の回転方向と反対方向にずれた位置から対応する羽根部１３の外側端部の傾斜面の上部に集中して衝突し、羽根部１３の傾斜面に沿って螺旋流となりながら流れて鎖樋素体１を少量の水で効率的に回転させることができる。
【００３８】
前述の各実施形態においては、上下方向に配置した複数の鎖樋素体１の回転翼部５における螺旋の巻き方向を同じ方向とした例を示しており、この例の場合は、雨水の流下力により複数の鎖樋素体１を同一方向に回転させながら排水する鎖樋２であるが、複数の鎖樋素体１のうち回転翼部５における螺旋の巻き方向が一方向となったものと、逆方向となったものを混在させることで、雨水の流下力により一方向に回転する鎖樋素体１と、反対方向に回転する鎖樋素体１とが混在した鎖樋２を構成するようにしてもよく、この実施形態においては、よりいっそう従来の鎖樋２では現出できなかった、雨水の動き、鎖樋素体１の動きを現出できることになる。
【００３９】
また、上記いずれの実施形態の場合も、回転翼部５の傾斜角度が異なる鎖樋素体１を複数用いて鎖樋２を構成してもよく、この場合は、回転速度の速い鎖樋素体１と遅い鎖樋素体１とが混在することになり、よりいっそう従来の鎖樋２では現出できなかった雨水の動き、鎖樋素体１の動きを現出できることになる。
【００４０】
また、上記実施形態では、鎖樋素体１に軸体３が回転自在に取付けてあり、軸体３に繋ぎ部１０を設け、上下の鎖樋素体１を繋ぎ部１０で繋ぐことで、上下方向に複数の鎖樋素体１を配設した鎖樋２を構成した例が示してあるが、ワイヤーや棒材のように上下方向に長い線状材（図示せず）により軸体３を構成し、この線状材に鎖樋素体１を上下方向に複数回転自在に取付けて鎖樋２を形成してもよい。もちろん、この実施形態においても、鎖樋素体１又は軸体３に筒体４の上開口６よりも外形が小さいガイド部７を回転翼部５の上方に位置するように筒体４の上開口６に臨んで配置し、該ガイド部７の外周端と筒体４の内周との間に隙間４０を形成し、該隙間４０の下方に回転翼部５の上部の外側端部が位置する構成とする。
【図面の簡単な説明】
【００４１】
【図１】本発明の一実施形態の鎖樋の断面図である。
【図２】同上の正面図である。
【図３】同上に用いる鎖樋素体を示し、（ａ）は斜視図であり、（ｂ）は分解斜視図である。
【図４】本発明の少量の水が流れる場合の説明のための図面で、（ａ）は断面図であり、（ｂ）は斜視図である。
【図５】本発明の他の実施形態の鎖樋の断面図である。
【図６】同上の正面図である。
【図７】同上に用いる鎖樋素体を示し、（ａ）は斜視図であり、（ｂ）は分解斜視図である。
【図８】同上のガイド溝を設けた場合における少量の水が流れる際の説明のための図面で、（ａ）は斜視図であり、（ｂ）は平面図である。
【図９】参考例における少量の水が流れる場合の説明のための断面図である。
【符号の説明】
【００４２】
１  鎖樋素体
２  鎖樋
３  軸体
４  筒体
５  回転翼部
６  上開口
７  ガイド部
７ａ  ガイド溝
８  下開口
１３  羽根部
４０  隙間
【図１】
0004416042.tif 000002
【図２】
0004416042.tif 000003
【図３】
0004416042.tif 000004
【図４】
0004416042.tif 000005
【図５】
0004416042.tif 000006
【図６】
0004416042.tif 000007
【図７】
0004416042.tif 000008
【図８】
0004416042.tif 000009
【図９】
0004416042.tif 000010